(57)【要約】【課題】ハウジングの内側にステータコアを嵌合することによるステータコアの変形を防止することができる電動モータ及び電動圧縮機を提供すること。【解決手段】ステータコア２９の外周面２９ａには複数の嵌合突部４２がステータコア２９の周方向へ間隔をおいて設けられているとともに、ハウジング１６の内周面１６ａには複数の嵌合凹部３２がハウジング１６の周方向へ間隔をおいて設けられている。嵌合凹部３２と嵌合突部４２の嵌合状態では、ステータコア２９の周方向に対向する嵌合突部４２の両側面部４２２が嵌合凹部３２の内側面３２２に保持されている。また、嵌合突部４２の突端面部４２１と、嵌合凹部３２の内周面３２１との間には突端面部４２１の全面に亘って突部側空隙Ｋ１が形成されている。【選択図】図３
2007318876.tif 000002
【特許請求の範囲】
【請求項１】
ステータの内側で回転するロータと、ハウジングの内周部に固定される前記ステータのステータコアとを有しており、前記ハウジングの内周面の周方向に沿って複数設けられた嵌合凹部に、前記ステータコアの外周面の周方向に沿って複数設けられた嵌合突部が嵌合されることによって、ステータコアがハウジングの内周部に固定される電動モータにおいて、
前記嵌合突部は、前記ステータコアの周方向に対して交差する方向に延びる一対の側面部と、前記ステータコアの周方向に沿って延びる突端面部とを備えており、
前記嵌合突部の一対の側面部が前記嵌合凹部の内側面によって前記ハウジングの周方向から保持されているとともに、前記突端面部と、該突端面部に対向する嵌合凹部の内周面との間には前記突端面部の全面に亘って突部側空隙が形成されている電動モータ。
【請求項２】
前記嵌合突部を除いたステータコアの外径は、前記嵌合凹部を除いたハウジングの内径より小さく形成され、前記嵌合突部を除いたステータコアの外周面と、該外周面に対向するハウジングの内周面との間には周面側空隙が形成されている請求項１に記載の電動モータ。
【請求項３】
前記突部側空隙はステータコアの径方向に沿った幅がステータコアの周方向に沿って一定であり、前記突端面部はステータコアの外周面と同心の円弧面であり、嵌合凹部の内周面はハウジングの内周面と同心の円弧面である請求項１又は請求項２に記載の電動モータ。
【請求項４】
前記突部側空隙はステータコアの径方向に沿った幅が、前記ハウジングの周方向における中央部から両端に向かうに従い徐々に狭くなり、前記突端面部はステータコアの外周面と同心の円弧面であり、前記嵌合凹部は、ハウジングの周方向における中央部から両端に向かうに従い突端面部に近づくように形成されている請求項１又は請求項２に記載の電動モータ。
【請求項５】
電動モータによって駆動される回転軸の回転に基づく圧縮機構の圧縮動作によって圧縮室内のガスを圧縮して吐出する電動圧縮機において、
請求項１〜請求項４のうちいずれか一項に記載の電動モータを用いた電動圧縮機。
【発明の詳細な説明】
【技術分野】
【０００１】
本発明は、ハウジングの内周面の周方向に沿って複数設けられた嵌合凹部に、ステータコアの外周面の周方向に沿って設けられた嵌合突部が嵌合されることによって、ステータコアがハウジングの内周部に固定される電動モータ及び該電動モータを用いた電動圧縮機に関する。
【背景技術】
【０００２】
例えば、車両空調装置に用いられる圧縮機として電動圧縮機が用いられ、該電動圧縮機のハウジング内には電動モータと圧縮機構が収容されている。前記電動モータは、環状のステータ（固定子）と、ステータの内方において回転軸に設けられたロータ（回転子）とからなっている。前記ステータは円環状のステータコアと、該ステータコアに巻き付けられたコイルとからなるとともに、前記ステータは、前記ステータコアがハウジングの内側に嵌合されて該ハウジングに固定されている。
【０００３】
一般に、ステータコアは、焼き嵌めによってハウジングの内側に嵌合されている。ハウジングの内周面には、複数の圧接突部（例えば４つ）が、ハウジングの周方向へ等間隔をおいて内方へ突出するように形成されている。そして、前記焼き嵌めは、ハウジングが加熱膨張された後に該ハウジング内にステータコアを入れ、ハウジングの常温への移行に伴う収縮によって圧接突部をステータコアの外周面に圧接させることにより行われる。
【０００４】
また、図６に示すように、特許文献１には、ステータコア（固定子鉄心）９０の外周部に、複数のリブ９１を周方向へ間隔をおいて設けるとともに、ハウジング（固定子枠）９２において前記リブ９１と相対する位置に溝９３を設けた電動モータ（回転電機）１００が開示されている。この電動モータ１００においては、溝９３にリブ９１を嵌合することによりハウジング９２の内側にステータコア９０を固定している。
【特許文献１】特開２００２−２８１６９８号公報
【発明の開示】
【発明が解決しようとする課題】
【０００５】
ところが、前記圧接突部をステータコアの内周面に圧接させてハウジングの内側にステータコアを嵌合する方法では、ステータコアにおいて前記圧接突部が圧接した箇所は、該圧接突部によって径方向外側から内側に向けて押圧される。そして、該押圧に伴う応力によってステータコアの内周形状が真円状からずれる可能性が大きい。また、特許文献１に開示の技術においても、溝９３にリブ９１を嵌合させた状態において、ステータコア９０の周方向に沿った各リブ９１の周面９１ａに溝の内周面９３ａが圧接している。このため、ステータコア９０において、リブ９１が形成された箇所は、ハウジング９２によって径方向外側から内側に向けて押圧され、該押圧に伴う応力によってステータコア９０の内周形状が真円状からずれる可能性が大きい。そして、ステータコア９０の内周形状が真円状からずれてしまうと、ステータコア９０の内周面とロータの外周面との間の間隔がロータの周方向の全周にわたって均一にならず、回転する電動モータのハウジングの振動が大きくなってしまう。
【０００６】
本発明は、ハウジングの内側にステータコアを嵌合することによるステータコアの変形を防止することができる電動モータ及び電動圧縮機を提供することにある。
【課題を解決するための手段】
【０００７】
上記問題点を解決するために、請求項１に記載の発明は、ステータの内側で回転するロータと、ハウジングの内周部に固定される前記ステータのステータコアとを有しており、前記ハウジングの内周面の周方向に沿って複数設けられた嵌合凹部に、前記ステータコアの外周面の周方向に沿って設けられた嵌合突部が嵌合されることによって、ステータコアがハウジングの内周部に固定される電動モータにおいて、前記嵌合突部は、前記ステータコアの周方向に対して交差する方向に延びる一対の側面部と、前記ステータコアの周方向に沿って延びる突端面部とを備えており、前記嵌合突部の一対の側面部が前記嵌合凹部の内側面によって前記ハウジングの周方向から保持されているとともに、前記突端面部と、該突端面部に対向する嵌合凹部の内周面との間には前記突端面部の全面に亘って突部側空隙が形成されていることを要旨とする。
【０００８】
請求項１に記載の発明によれば、嵌合突部の両側面部を嵌合凹部の内側面によって周方向から保持させることでハウジングの内側にステータコアを嵌合し、この嵌合の際に、嵌合突部の突端面部と嵌合凹部の内周面との間に突部側空隙が形成されるようにすることによって、嵌合突部の突端面部全面を嵌合凹部の内周面から離間させることができる。このため、嵌合の際に、嵌合突部の突端面部に嵌合凹部の内周面が圧接することが無く、ハウジングの内側にステータコアが嵌合されても、ハウジングによってステータコアがその径方向外側から内側へ向けて押圧されることが防止される。したがって、ステータコアが前記押圧に伴う応力によって内周形状が変形してしまうことを防止することができる。
【０００９】
また、前記嵌合突部を除いたステータコアの外径は、前記嵌合凹部を除いたハウジングの内径より小さく形成され、前記嵌合突部を除いたステータコアの外周面と、該外周面に対向するハウジングの内周面との間には周面側空隙が形成されていてもよい。
【００１０】
この構成によれば、ハウジングの内側にステータコアを嵌合した際に、ステータコアの外周面とハウジングの内周面との間に周面側空隙を形成することによって、嵌合突部を除くステータコアの外周面を、嵌合凹部を除くハウジングの内周面から離間させることができる。このため、嵌合の際に、ステータコアの外周面に、該外周面に対向するハウジングの内周面が圧接することが無く、ハウジングの内側にステータコアが嵌合されてもハウジングによってステータコアが径方向外側から内側へ向けて押圧されることが防止される。したがって、嵌合突部を含むステータコアの外周面全体が、嵌合凹部を含むハウジングの内周面全体によって、径方向外側から内側へ向けて押圧されることが防止される。その結果として、ステータコアが前記押圧に伴う応力によって内周形状が変形してしまうことを防止することができる。
【００１１】
また、前記突部側空隙はステータコアの径方向に沿った幅がステータコアの周方向に沿って一定であり、前記突端面部はステータコアの外周面と同心の円弧面であり、嵌合凹部の内周面はハウジングの内周面と同心の円弧面であってもよい。この構成によれば、嵌合凹部の形成は、ハウジングをその内周面と同心となるように切削すればよく、嵌合凹部を容易に形成することができる。
【００１２】
また、前記突部側空隙はステータコアの径方向に沿った幅が、前記ハウジングの周方向における中央部から両端に向かうに従い徐々に狭くなり、前記突端面部はステータコアの外周面と同心の円弧面であり、前記嵌合凹部の内周面は、ハウジングの周方向における中央部から両端に向かうに従い突端面部に近づくように形成されていてもよい。この構成によれば、嵌合突部を嵌合凹部に嵌合する際に、嵌合凹部の中央部と対応する位置を中心としてハウジングを拡幅させやすくすることができ、嵌合凹部への嵌合突部の嵌合をスムーズに行うことができる。
【００１３】
また、電動モータによって駆動される回転軸の回転に基づく圧縮機構の圧縮動作によって圧縮室内のガスを圧縮して吐出する電動圧縮機において、請求項１〜請求項４のうちいずれか一項に記載の電動モータを用いてもよい。この構成によれば、ステータコアをハウジングの内側に嵌合する際のステータコアの変形を防止することができ、該変形に起因した性能低下を防止することができる本発明の電動モータは、電動圧縮機の駆動源として好適である。
【発明の効果】
【００１４】
本発明によれば、ハウジングの内側にステータコアを嵌合することによるステータコアの変形を防止することができる。
【発明を実施するための最良の形態】
【００１５】
以下、本発明を具体化した電動モータ及び電動圧縮機の一実施形態を図１〜図５に基づいて説明する。
図１に示すように、電動圧縮機１０は、アルミニウム製のハウジング１６内に電動モータ２６と圧縮機構４０とを収容している。本実施形態の電動圧縮機１０において、前記圧縮機構４０は、固定スクロール１３と可動スクロール１１とを有するスクロールタイプであり、固定スクロール１３と可動スクロール１１との間には容積変更可能な圧縮室１４が区画形成されている。また、ハウジング１６内には、前記圧縮機構４０で圧縮された冷媒が吐出される吐出室２１が区画形成されている。
【００１６】
前記吐出室２１は、外部冷媒回路１５の熱交換器２３と接続されている。なお、前記外部冷媒回路１５は、前記熱交換器２３、膨張弁２４及び熱交換器２５を備えている。ハウジング１６内には、電動モータ２６の構成要素である回転軸１２が収容されているとともに、該回転軸１２はハウジング１６によって回転可能に支持されている。また、ハウジング１６内には、前記電動モータ２６を構成するロータ（回転子）２７と、ステータ（固定子）２８とが設けられている。
【００１７】
そして、上記電動圧縮機１０においては、電動モータ２６はステータ２８（コイル３０）に電力が供給されることにより、ロータ２７とともに回転軸１２を回転させる。すると、圧縮機構４０において、可動スクロール１１と固定スクロール１３との間の圧縮室１４が容積減少する。そして、外部冷媒回路１５（熱交換器２５）からハウジング１６内へ導入された冷媒は、吸入ポート１７を経由して圧縮室１４へ吸入されるとともに、該圧縮室１４で圧縮される。圧縮室１４内で圧縮された冷媒は、吐出ポート１９から吐出弁２０を押し退けて吐出室２１へ吐出される。吐出室２１内の冷媒は、外部冷媒回路１５へ流出してハウジング１６内へ還流する。
【００１８】
次に、電動モータ２６について説明する。ハウジング１６内において、前記ロータ２７は、前記回転軸１２と一体回転するように該回転軸１２の外周に固定されている。ロータ２７は、回転軸１２に止着されたロータコア２７１と、ロータコア２７１の周面に設けられた複数の永久磁石２７２とからなる。図２に示すように、前記ステータ２８は、全体として略円環状をなし、略円環状のステータコア２９のティース２９０にコイル３０が巻回されて構成されているとともに、図１に示すように、ステータコア２９は、プレス加工などにより成形された珪素鋼鈑が回転軸１２の中心軸Ｌに沿って複数枚積層されて構成されている。そして、電動モータ２６において、ロータ２７は、コイル３０への通電によって回転し、回転軸１２及び可動スクロール１１は、ロータ２７と一体的に回転する。コイル３０への通電は、インバータ（図示略）のスイッチングによって行われる。ロータ２７とステータ２８とは、電動モータ２６を構成する。
【００１９】
上記構成の電動モータ２６のステータ２８は、前記ステータコア２９がハウジング１６の内周部に嵌合されることによって該ハウジング１６の内周部に固定されている。次に、ステータ２８をハウジング１６に固定するためにステータ２８及びハウジング１６に設けられた構成について説明する。
【００２０】
まず、前記ハウジング１６の構成について詳細に説明する。図３に示すように、ハウジング１６の内周面１６ａは円周面であり、ハウジング１６の内径はＭに設定されている。また、図２に示すように、ハウジング１６の内周面１６ａには、複数（本実施形態では４つ）の嵌合凹部３２がハウジング１６の周方向へ等間隔（９０度毎）おきに凹設されている。そして、図３に示すように、各嵌合凹部３２において、ハウジング１６の周方向に沿って延びる内周面３２１は、ハウジング１６の内周面１６ａと同心をなす円弧面である。各嵌合凹部３２の深さは一定であり、この嵌合凹部３２の深さをＳとする。また、嵌合凹部３２が形成された箇所においてハウジング１６の径方向に沿った厚みは全て同じである。なお、「ハウジング１６の径方向に沿う」とは、ハウジング１６の中心軸（回転軸１２の中心軸Ｌと同軸）を通過する径線の延びる方向に沿うことを意味する。また、嵌合凹部３２の内周面３２１が「ハウジング１６の周方向に沿って延びる」とは、嵌合凹部３２の内周面３２１が、ハウジング１６の内周面１６ａと同心をなすように延びることを意味することはもちろんのこと、非同心をなすように延びる場合も意味する。本実施形態では、嵌合凹部３２の内周面３２１は、内周面１６ａと同心をなすように延びている。
【００２１】
また、各嵌合凹部３２において、ハウジング１６の周方向に相対向し、ハウジング１６の周方向に対して交差する方向に延びる面を、嵌合凹部３２の内側面３２２とする。そして、各嵌合凹部３２は、ハウジング１６の内周面１６ａから外周面へ向かうに従い、対向する内側面３２２間の幅が徐々に広がるように形成されている。すなわち、各嵌合凹部３２は、ハウジング１６の内側から外側へ向かうに従い拡幅するように形成されている。そして、各嵌合凹部３２は、中心軸Ｌ方向に沿ったハウジング１６の厚み全体にわたって凹設されている。
【００２２】
次に、前記ステータコア２９の構成について詳細に説明する。図２に示すように、ステータコア２９は、略円環状をなし、ステータコア２９の外周面２９ａは、中心軸Ｌに対して直交する断面視が嵌合突部４２を除く箇所で真円状になっている。また、ステータコア２９の内周面２９ｂ、すなわち、ロータ２７の外周面に対向するティース２９０の端面２９４を連ねてなる面は、真円状の円周面になっている。図３に示すように、ステータコア２９の外径はＮに設定され、このステータコア２９の外径Ｎは、前記ハウジング１６の内径Ｍより小さく設定されている。すなわち、ハウジング１６の内側にステータコア２９が嵌合された状態で、ハウジング１６の内周面１６ａと、ステータコア２９の外周面２９ａとの間に僅かな周面側空隙Ｋ２が形成されるように内径Ｍ及び外径Ｎが設定されている。
【００２３】
図２に示すように、ステータコア２９の外周面２９ａには、複数の嵌合突部４２（本実施形態では４つ）が突設されている。複数の嵌合突部４２は、ステータコア２９の周方向に沿って等間隔（９０度毎）おきに突設され、各嵌合突部４２は前記ハウジング１６の嵌合凹部３２に嵌合可能となる位置に突設されている。図３に示すように、各嵌合突部４２において、ステータコア２９の周方向に沿って延びる突端面部４２１は、ステータコア２９の外周面２９ａと同心をなす円弧面である。なお、嵌合突部４２の突端面部４２１が「ステータコア２９の周方向に沿って延びる」とは、嵌合突部４２の突端面部４２１が、ステータコア２９の外周面２９ａと同心をなすように延びることを意味することはもちろんのこと、非同心をなすように延びる場合も意味する。本実施形態では、嵌合突部４２の突端面部４２１は、外周面２９ａと同心をなすように延びている。また、各嵌合突部４２において、突端面部４２１におけるステータコア２９の外周面２９ａからの突出高さは一定であり、この嵌合突部４２の突出高さをＴとする。そして、嵌合突部４２の突出高さＴは、前記嵌合凹部３２の深さＳより短くなっている。すなわち、図３に示すように、ハウジング１６の内側にステータコア２９が嵌合され、嵌合凹部３２に嵌合突部４２が嵌合された状態で、嵌合凹部３２の内周面３２１と嵌合突部４２の突端面部４２１との間に僅かな突部側空隙Ｋ１が形成されるように嵌合突部４２の突出高さＴ、及び嵌合凹部３２の深さＳが設定されている。
【００２４】
なお、各嵌合突部４２において、ステータコア２９の周方向に対して交差する方向に沿って延びる一対の面を、嵌合突部４２の側面部４２２とする。ここで、図２の仮想線Ｔ１に示す直線をステータコア２９の中心軸（回転軸１２の中心軸Ｌと同軸）を通る径線とし、仮想線Ｔ２に示す直線を、側面部４２２上を通る直線とする。そして、嵌合突部４２の側面部４２２が「ステータコア２９の周方向に対して交差する方向に沿って延びる」とは、側面部４２２上を通る直線（仮想線Ｔ２）が、ステータコア２９の外周側から中心軸Ｌ側へ向かうに従い経線（仮想線Ｔ１）に近づくように傾斜して延びるようになっていることとする。つまり、側面部４２２を通る直線（仮想線Ｔ２）の傾斜の度合いは、直線（仮想線Ｔ２）が、ステータコア２９の外周面２９ａ側から中心軸Ｌ側へ延びるとき、該直線（仮想線Ｔ２）が中心軸Ｌを超えない位置では、径線（仮想線Ｔ１）と交差しないように設定されている。各嵌合突部４２は、ステータコア２９の内周面２９ｂから外周面２９ａへ向かうに従い、対向する側面部４２２間の幅が徐々に広がるように形成されている。すなわち、各嵌合突部４２は、ステータコア２９の内側から外側へ向かうに従い拡幅するように形成されている。
【００２５】
次に、上記ハウジング１６の内側にステータコア２９を嵌合し、ステータ２８をハウジング１６の内周部に固定する方法について説明する。まず、ハウジング１６が加熱膨張された後に、各嵌合突部４２を嵌合凹部３２に嵌入してハウジング１６内にステータコア２９を入れる。そして、ハウジング１６の常温への移行に伴う収縮によって嵌合凹部３２が収縮し、嵌合凹部３２に嵌合突部４２が嵌合されてハウジング１６内にステータコア２９が固定される。すなわち、嵌合凹部３２の収縮によって、各嵌合突部４２の両側面部４２２に嵌合凹部３２の両内側面３２２が圧接し、嵌合突部４２の両側面部４２２が各内側面３２２によって周方向から締め付けられることによって、嵌合突部４２が嵌合凹部３２により周方向両側から保持される。そして、この嵌合により、ステータコア２９は周方向への移動が規制されている。
【００２６】
また、嵌合凹部３２は、ハウジング１６の内側から外側へ向かうに従い拡幅し、嵌合突部４２は、ステータコア２９の内側から外側に向かうに従い拡幅している。このため、嵌合凹部３２に嵌合突部４２が嵌合された状態では、ステータコア２９は径方向への移動が規制されている。その結果、ステータ２８がハウジング１６の内側に移動不能に固定される。
【００２７】
上記焼き嵌め状態では、各嵌合突部４２の突端面部４２１と、嵌合凹部３２の内周面３２１との間には、ステータコア２９の径方向に沿う幅が一定であり、嵌合凹部３２の内周面３２１が突端面部４２１の全面から離間する突部側空隙Ｋ１が形成されている。なお、「ステータコア２９の径方向に沿う」とは、ステータコア２９の中心軸（回転軸１２の中心軸Ｌと同軸）を通過する径線に沿うことを意味する。この突部側空隙Ｋ１は、焼き嵌めの際にハウジング１６の収縮によって嵌合凹部３２が収縮した後で、前記幅を有している。すなわち、ステータコア２９を焼き嵌めによってハウジング１６の内側に嵌合した後、前記突部側空隙Ｋ１が形成されるように嵌合凹部３２の深さＳと、嵌合突部４２の突出高さＴが設定されている。そして、嵌合突部４２の突端面部４２１は、ステータコア２９の外周面２９ａと同心の円弧面であり、嵌合凹部３２の内周面３２１はハウジング１６の内周面１６ａと同心の円弧面である。このため、前記突部側空隙Ｋ１において、ステータコア２９の径方向に沿った幅がステータコア２９の周方向に沿って一定となっている。したがって、焼き嵌めの際、ハウジング１６が収縮したとき、嵌合突部４２は周方向から嵌合凹部３２の内側面３２２によって締め付けられる一方で、突端面部４２１は径方向外側から内側へ向けて押圧されることがない。
【００２８】
また、焼き嵌め状態では、嵌合突部４２を除くステータコア２９の外周面２９ａと、嵌合凹部３２を除くハウジング１６の内周面１６ａとの間には、ステータコア２９の径方向に沿う幅が一定で離間する周面側空隙Ｋ２が形成されている。この周面側空隙Ｋ２は、ハウジング１６が収縮した状態で前記一定幅を有している。すなわち、ステータコア２９を焼き嵌めによってハウジング１６の内側に嵌合した後、前記周面側空隙Ｋ２が形成されるようにハウジング１６の内径Ｍと、ステータコア２９の外径Ｎが設定されている。このため、焼き嵌めの際、ハウジング１６が収縮したとき、該ハウジング１６によってステータコア２９の外周面２９ａが径方向外側から内側へ向けて押圧されることがない。したがって、焼き嵌めの際に、ステータコア２９はその全体が径方向外側から押圧されることはなく、該ステータコア２９の内周面２９ｂが真円状からずれることが防止される。
【００２９】
上記実施形態によれば、以下のような効果を得ることができる。
（１）焼き嵌めにより、嵌合凹部３２と嵌合突部４２とを嵌合させることでステータコア２９の周方向への移動、及び径方向への移動を規制した状態でハウジング１６の内側にステータコア２９を固定した。この固定状態で、嵌合突部４２の突端面部４２１と嵌合凹部３２の内周面３２１との間には突部側空隙Ｋ１が形成され、突端面部４２１の全面が内周面３２１から離間している。このため、焼き嵌めの際に、突端面部４２１はステータコア２９の径方向外側から突端面部４２１へ向けて押圧されることはない。したがって、焼き嵌めの際、ステータコア２９には径方向への押圧力が作用せず、該押圧に伴う応力によってステータコア２９が変形することを防止することができる。その結果として、ステータコア２９の内周面２９ｂが真円状からずれることを防止して、ステータコア２９の内周面２９ｂとロータ２７の外周面との間の間隔をロータ２７の外周の全周にわたって均一にすることができる。よって、回転する電動モータ２６のハウジング１６の振動が大きくなることを防止して、電動モータ２６の性能低下を防止することができる。
【００３０】
（２）焼き嵌めにより、嵌合凹部３２と嵌合突部４２とを嵌合させることでステータコア２９の周方向への移動、及び径方向への移動を規制した状態でハウジング１６の内側にステータコア２９を固定した。この固定状態で、嵌合突部４２を除いたステータコア２９の外周面２９ａと、嵌合凹部３２を除いたハウジング１６の内周面１６ａとの間には周面側空隙Ｋ２が形成されている。このため、焼き嵌めの際に、ハウジング１６の内周面１６ａが、ステータコア２９の外周面２９ａに圧接することによって径方向外側から内側へ向けて押圧されることがない。したがって、ステータコア２９の全体が径方向外側から内側へ向けて押圧されることがなく、ステータコア２９の内周面２９ｂが真円状からずれることを確実に防止することができる。その結果として、ステータコア２９の内周面２９ｂとロータ２７の外周面との間の間隔をロータ２７の外周の全周にわたって均一にすることができる。よって、回転する電動モータ２６のハウジング１６の振動が大きくなることを防止して、電動モータ２６の性能低下を防止することができる。
【００３１】
（３）嵌合凹部３２は、ハウジング１６の内周面１６ａと同心の円弧面に形成されている。このため、嵌合凹部３２を形成する際には、内周面１６ａと同心にハウジング１６を切削すればよく、その形成作業を容易に行うことができる。
【００３２】
（４）ステータコア２９をハウジング１６の内側に固定する際、嵌合突部４２の突端面部４２１と嵌合凹部３２の内周面３２１との間に突部側空隙Ｋ１が形成され、ステータコア２９の外周面２９ａとハウジング１６の内周面１６ａとの間に周面側空隙Ｋ２が形成されるようにした。そして、両空隙Ｋ１，Ｋ２を形成することで、ステータコア２９の変形を防止して電動モータ２６の性能低下を防止することができる。したがって、嵌合凹部３２及び嵌合突部４２を形成することで性能低下が防止された電動モータ２６を用いた電動圧縮機１０は、その運転中の振動を抑えることができる。
【００３３】
なお、上記実施形態は以下のように変更してもよい。
○  図４に示すように、嵌合突部４２の突端面部４２１と、嵌合凹部３２の内周面３２１との間の突部側空隙Ｋ１は、ステータコア２９の径方向に沿う幅が、前記突部側空隙Ｋ１においてハウジング１６の周方向における中央部から両端に向かうに従い徐々に狭くなるように形成してもよい。すなわち、嵌合凹部３２の深さＳは、ハウジング１６の周方向に沿った中央部と対応する位置が最も深く、周方向に沿って両端に向かうに従い徐々に浅くなっている。言い換えると、嵌合凹部３２が形成されたハウジング１６の厚みは、ハウジング１６の周方向に沿った嵌合凹部３２の中央部と対応する位置が最も薄く、周方向に沿って両側へ向かうに従い厚みが増している。このように嵌合凹部３２を形成すると、焼き嵌めの際にハウジング１６が膨張したとき、嵌合凹部３２の中央部と対応する位置を中心としてハウジング１６を拡幅させやすくすることができ、嵌合凹部３２内への嵌合突部４２の嵌入をスムーズに行うことができる。
【００３４】
○  図５に示すように、嵌合突部４２の両側面部４２２の全面のうち、一部が嵌合凹部３２の内側面３２２によって保持されていてもよい。
○  側面部４２２上を通る直線（仮想線Ｔ２）が、径線（Ｔ１）と平行をなすように、嵌合突部４２の側面部４２２がステータコア２９の周方向に対して交差する方向に沿って延びていてもよい。
【００３５】
○  ステータコア２９のハウジング１６の内側への嵌合は、焼き嵌めではなく嵌合凹部３２に嵌合突部４２を直接圧入して行ってもよい。
○  ハウジング１６の内周面１６ａと、ステータコア２９の外周面２９ａとの間の周面側空隙Ｋ２は無くてもよい。
【００３６】
○  嵌合突部４２の突端面部４２１と、嵌合凹部３２の内周面３２１とは、突端面部４２１と内周面３２１の間に突端面部４２１の全面に亘って突部側空隙Ｋ１が形成されていれば、突端面部４２１と内周面３２１との間の幅は任意に変更してもよい。
【００３７】
○  圧縮機構４０は、スクロールタイプに限定されるものではなく、例えば、ピストンタイプやベーンタイプなどに変更してもよい。
○  ステータ２８は、コイル３０が巻回された磁極コアをステータコア２９内に嵌合したタイプであってもよい。
【００３８】
次に、上記実施形態及び別例から把握できる技術的思想について以下に追記する。
（１）前記嵌合突部の一対の側面部は、その全面のうちの一部が前記嵌合凹部の内側面によって前記ハウジングの周方向から保持されている請求項１〜請求項４のうちいずれか一項に記載の電動モータ。
【図面の簡単な説明】
【００３９】
【図１】実施形態の電動圧縮機を示す縦断面図。
【図２】電動モータ及びハウジングを示す断面図。
【図３】嵌合突部と嵌合凹部との嵌合状態を示す部分拡大断面図。
【図４】嵌合凹部の別例を示す部分拡大断面図。
【図５】嵌合凹部の別例を示す部分拡大断面図。
【図６】背景技術の電動モータ及びハウジングを示す断面図。
【符号の説明】
【００４０】
Ｋ１…突部側空隙、Ｋ２…周面側空隙、Ｍ…ハウジングの内径、Ｎ…ステータコアの外径、１０…電動圧縮機、１２…回転軸、１４…圧縮室、１６…ハウジング、１６ａ…内周面、２６…電動モータ、２７…ロータ、２８…ステータ、２９…ステータコア、２９ａ…外周面、３２…嵌合凹部、３２１…内周面、３２２…内側面、４０…圧縮機構、４２…嵌合突部、４２１…突端面部、４２２…側面部。
【図１】
2007318876.tif 000003
【図２】
2007318876.tif 000004
【図３】
2007318876.tif 000005
【図４】
2007318876.tif 000006
【図５】
2007318876.tif 000007
【図６】
2007318876.tif 000008